【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
画像データを入力する入力手段と、
前記入力手段によって入力された画像データが白紙を示す画像データであるか否かを判定する判定手段と、
前記入力手段によって入力された画像データが白紙を示す画像データではないと前記判定手段によって判定された場合に、当該画像データに基づいてシートに印刷処理を実行する印刷手段と、
前記判定手段による判定の結果に基づいて、印刷処理が実行されたシートの排紙先を変更する変更手段とを備え、
前記入力手段が第１の画像データ、第２の画像データ、第３の画像データの順番で画像データを入力した場合であって、かつ、前記第１の画像データと前記第３の画像データが白紙を示す画像データではないと前記判定手段によって判定され、前記第２の画像データが白紙を示す画像データであると前記判定手段によって判定された場合に、前記変更手段は、前記第３の画像データに基づいて印刷処理が実行されたシートの排紙先を、前記第１の画像データに基づいて印刷処理が実行されたシートを排紙した排紙先とは異なる排紙先に変更することを特徴とする印刷装置。
【請求項２】
画像データを入力する入力手段と、
前記入力手段によって入力された画像データが白紙を示す画像データであるか否かを判定する判定手段と、
前記入力手段によって入力された画像データが白紙を示す画像データではないと前記判定手段によって判定された場合に、当該画像データに基づいてシートに印刷処理を実行する印刷手段と、
前記判定手段による判定の結果に基づいて、印刷処理が実行されたシートを排紙する際のシートの向きを変更する変更手段とを備え、
前記入力手段が第１の画像データ、第２の画像データ、第３の画像データの順番で画像データを入力した場合であって、かつ、前記第１の画像データと前記第３の画像データが白紙を示す画像データではないと前記判定手段によって判定され、前記第２の画像データが白紙を示す画像データであると前記判定手段によって判定された場合に、前記変更手段は、前記第３の画像データに基づいて印刷処理が実行されたシートを排紙する際のシートの向きを、前記第１の画像データに基づいて印刷処理が実行されたシートを排紙した際のシートの向きとは異なる向きに変更することを特徴とする印刷装置。
【請求項３】
画像データを入力する入力手段と、
前記入力手段によって入力された画像データが白紙を示す画像データであるか否かを判定する判定手段と、
前記入力手段によって入力された画像データが白紙を示す画像データではないと前記判定手段によって判定された場合に、当該画像データに基づいてシートに印刷処理を実行する印刷手段と、
前記判定手段による判定の結果に基づいて、排紙済みのシートに対して印刷処理が実行されたシートをシフトして排紙する制御手段とを備え、
前記入力手段が第１の画像データ、第２の画像データ、第３の画像データの順番で画像データを入力した場合であって、かつ、前記第１の画像データと前記第３の画像データが白紙を示す画像データではないと前記判定手段によって判定され、前記第２の画像データが白紙を示す画像データであると前記判定手段によって判定された場合に、前記制御手段は、前記第３の画像データに基づいて印刷処理が実行されたシートを、排紙済みのシートである前記第１の画像データに基づいて印刷処理が実行されたシートに対してシフトして排紙することを特徴とする印刷装置。
【請求項４】
前記入力手段によって入力された画像データが白紙を示す画像データであると前記判定手段によって判定された場合に、前記印刷手段は、当該画像データに基づく印刷処理を実行しないことを特徴とする請求項１乃至３のいずれか１項に記載の印刷装置。
【請求項５】
白紙を示す画像データであると前記判定手段によって判定された画像データを表示する表示手段を更に備え、
前記表示手段が表示する画面を介して印刷指示が入力された場合は、前記印刷手段は、白紙を示す画像データであると前記判定手段によって判定された画像データに基づく印刷処理を実行することを特徴とする請求項１乃至４のいずれか１項に記載の印刷装置。
【請求項６】
前記入力手段は、原稿を読み取ることで生成された画像データを入力することを特徴とする請求項１乃至５のいずれか１項に記載の印刷装置。
【請求項７】
画像データを入力する入力ステップと、
前記入力ステップで入力された画像データが白紙を示す画像データであるか否かを判定する判定ステップと、
前記入力ステップで入力された画像データが白紙を示す画像データではないと前記判定ステップで判定された場合に、当該画像データに基づいてシートに印刷処理を実行する印刷ステップと、
前記判定ステップの判定の結果に基づいて、印刷処理が実行されたシートの排紙先を変更する変更ステップとを有し、
前記入力ステップで第１の画像データ、第２の画像データ、第３の画像データの順番で画像データを入力した場合であって、かつ、前記第１の画像データと前記第３の画像データが白紙を示す画像データではないと前記判定ステップで判定され、前記第２の画像データが白紙を示す画像データであると前記判定ステップで判定された場合に、前記変更ステップでは、前記第３の画像データに基づいて印刷処理が実行されたシートの排紙先を、前記第１の画像データに基づいて印刷処理が実行されたシートを排紙した排紙先とは異なる排紙先に変更することを特徴とする印刷装置の制御方法。
【請求項８】
画像データを入力する入力ステップと、
前記入力ステップで入力された画像データが白紙を示す画像データであるか否かを判定する判定ステップと、
前記入力ステップで入力された画像データが白紙を示す画像データではないと前記判定ステップで判定された場合に、当該画像データに基づいてシートに印刷処理を実行する印刷ステップと、
前記判定ステップの判定の結果に基づいて、印刷処理が実行されたシートを排紙する際のシートの向きを変更する変更ステップとを有し、
前記入力ステップで第１の画像データ、第２の画像データ、第３の画像データの順番で画像データを入力した場合であって、かつ、前記第１の画像データと前記第３の画像データが白紙を示す画像データではないと前記判定ステップで判定され、前記第２の画像データが白紙を示す画像データであると前記判定ステップで判定された場合に、前記変更ステップでは、前記第３の画像データに基づいて印刷処理が実行されたシートを排紙する際のシートの向きを、前記第１の画像データに基づいて印刷処理が実行されたシートを排紙した際のシートの向きとは異なる向きに変更することを特徴とする印刷装置の制御方法。
【請求項９】
画像データを入力する入力ステップと、
前記入力ステップで入力された画像データが白紙を示す画像データであるか否かを判定する判定ステップと、
前記入力ステップで入力された画像データが白紙を示す画像データではないと前記判定ステップで判定された場合に、当該画像データに基づいてシートに印刷処理を実行する印刷ステップと、
前記判定ステップによる判定の結果に基づいて、排紙済みのシートに対して印刷処理が実行されたシートをシフトして排紙する制御ステップとを有し、
前記入力ステップで第１の画像データ、第２の画像データ、第３の画像データの順番で画像データを入力した場合であって、かつ、前記第１の画像データと前記第３の画像データが白紙を示す画像データではないと前記判定ステップで判定され、前記第２の画像データが白紙を示す画像データであると前記判定ステップで判定された場合に、前記制御ステップでは、前記第３の画像データに基づいて印刷処理が実行されたシートを、排紙済みのシートである前記第１の画像データに基づいて印刷処理が実行されたシートに対してシフトして排紙することを特徴とする印刷装置の制御方法。
【請求項１０】
請求項７乃至９のいずれか１項に記載の印刷装置の制御方法をコンピュータに実行させるためのプログラム。
【手続補正２】
【補正対象書類名】明細書
【補正対象項目名】発明の名称
【補正方法】変更
【補正の内容】
【発明の名称】印刷装置、印刷装置の制御方法及びプログラム
【手続補正３】
【補正対象書類名】明細書
【補正対象項目名】００１０
【補正方法】変更
【補正の内容】
【００１０】
上記課題を解決するため、本発明に係る印刷装置は、画像データを入力する入力手段と、前記入力手段によって入力された画像データが白紙を示す画像データであるか否かを判定する判定手段と、前記入力手段によって入力された画像データが白紙を示す画像データではないと前記判定手段によって判定された場合に、当該画像データに基づいてシートに印刷処理を実行する印刷手段と、前記判定手段による判定の結果に基づいて、印刷処理が実行されたシートの排紙先を変更する変更手段とを備え、前記入力手段が第１の画像データ、第２の画像データ、第３の画像データの順番で画像データを入力した場合であって、かつ、前記第１の画像データと前記第３の画像データが白紙を示す画像データではないと前記判定手段によって判定され、前記第２の画像データが白紙を示す画像データであると前記判定手段によって判定された場合に、前記変更手段は、前記第３の画像データに基づいて印刷処理が実行されたシートの排紙先を、前記第１の画像データに基づいて印刷処理が実行されたシートを排紙した排紙先とは異なる排紙先に変更することを特徴とする。
【手続補正４】
【補正対象書類名】明細書
【補正対象項目名】００１１
【補正方法】変更
【補正の内容】
【００１１】
また、上記課題を解決するため、本発明に係る印刷装置は、画像データを入力する入力手段と、前記入力手段によって入力された画像データが白紙を示す画像データであるか否かを判定する判定手段と、前記入力手段によって入力された画像データが白紙を示す画像データではないと前記判定手段によって判定された場合に、当該画像データに基づいてシートに印刷処理を実行する印刷手段と、前記判定手段による判定の結果に基づいて、印刷処理が実行されたシートを排紙する際のシートの向きを変更する変更手段とを備え、前記入力手段が第１の画像データ、第２の画像データ、第３の画像データの順番で画像データを入力した場合であって、かつ、前記第１の画像データと前記第３の画像データが白紙を示す画像データではないと前記判定手段によって判定され、前記第２の画像データが白紙を示す画像データであると前記判定手段によって判定された場合に、前記変更手段は、前記第３の画像データに基づいて印刷処理が実行されたシートを排紙する際のシートの向きを、前記第１の画像データに基づいて印刷処理が実行されたシートを排紙した際のシートの向きとは異なる向きに変更することを特徴とする。
また、上記課題を解決するため、本発明に係る印刷装置は、画像データを入力する入力手段と、前記入力手段によって入力された画像データが白紙を示す画像データであるか否かを判定する判定手段と、前記入力手段によって入力された画像データが白紙を示す画像データではないと前記判定手段によって判定された場合に、当該画像データに基づいてシートに印刷処理を実行する印刷手段と、前記判定手段による判定の結果に基づいて、排紙済みのシートに対して印刷処理が実行されたシートをシフトして排紙する制御手段とを備え、前記入力手段が第１の画像データ、第２の画像データ、第３の画像データの順番で画像データを入力した場合であって、かつ、前記第１の画像データと前記第３の画像データが白紙を示す画像データではないと前記判定手段によって判定され、前記第２の画像データが白紙を示す画像データであると前記判定手段によって判定された場合に、前記制御手段は、前記第３の画像データに基づいて印刷処理が実行されたシートを、排紙済みのシートである前記第１の画像データに基づいて印刷処理が実行されたシートに対してシフトして排紙することを特徴とする。